(57)【要約】【課題】し渣等の夾雑物の滞留を防ぎ、長期間に亘ってろ過性能を維持することができる膜分離装置を提供する。【解決手段】複数配列された中空糸膜エレメント１０はケーシング２０に覆われ、このケーシング２０の中空糸膜エレメント１０の配列方向の側面部に対応する側壁３３の上部に、散気発生装置１５から発生するエアをケーシング２０外へ逃がすための開口部３５が設けられていることを特徴とする。【選択図】図４
2008188562.tif 000002
【特許請求の範囲】
【請求項１】
好気槽に収容された被処理水を固液分離する多数の多孔性中空糸膜からなる中空糸膜エレメントが複数配列した状態で浸漬され、この中空糸膜エレメントの下方に前記多孔性中空糸膜にスクラビング洗浄を行う為の散気発生装置が配置された膜分離装置において、
複数配列された前記中空糸膜エレメントはケーシングに覆われ、このケーシングの前記中空糸膜エレメントの配列方向の側面部に対応する側板の上部に、前記散気発生装置から発生するエアを前記ケーシング外へ逃がすための開口部が設けられていることを特徴とする膜分離装置。
【請求項２】
前記開口部は前記中空糸膜エレメントの前記多孔性中空糸膜の有効高さの５〜５０％の範囲に設定されていることを特徴とする請求項１記載の膜分離装置。
【請求項３】
前記中空糸膜エレメントを構成する多数の前記多孔性中空糸膜の配列が水面に対して、鉛直方向で配列されていることを特徴とする請求項１記載の膜分離装置。
【発明の詳細な説明】
【技術分野】
【０００１】
本発明は、膜分離装置に関するものである。
【背景技術】
【０００２】
近年、活性汚泥による排水処理では、沈殿槽を用いた従来の固液分離法に代わる技術として、反応槽に膜分離装置を浸漬配置し、汚泥と処理水とをろ過膜によって固液分離する膜分離活性汚泥法が多く用いられるようになってきている。
【０００３】
この膜分離活性汚泥法に用いる膜分離装置として、例えば特許文献１に示すように、反応槽内に多数の中空糸膜からなる中空糸膜エレメントが複数配列され、この中空糸膜エレメントにエアを供給することで中空糸膜を振動させ、中空糸膜エレメントに付着する汚濁物質を剥離して洗浄を行う。また、このような浸漬型の膜分離装置は、複数配列された中空糸膜エレメントの中空糸膜にエアを効率良く供給するため、中空糸膜エレメントの周囲が膜ケーシングで覆われているものが一般的である。
【特許文献１】特開２０００−５１６７２号公報
【発明の開示】
【発明が解決しようとする課題】
【０００４】
しかしながら、上述の膜分離装置にあっては、中空糸膜エレメントが膜ケースによって覆われているため、中空糸膜エレメントの下方から上方へ流れる上昇流により、処理対象の被処理水中に含まれる、繊維や糸屑、髪の毛等の夾雑物（以下、夾雑物という）が徐々に膜ケース内の中空糸膜エレメントやエレメントのフレームに引っ掛かり、あるいは絡みあうことにより、隣接する中空糸膜同士を束ねてしまったり、夾雑物が団子状になり、スクラビングによる膜の洗浄を阻害して、膜の差圧上昇を引き起こしたりなどの問題もあった。
【０００５】
本発明は、上記課題に鑑みてなされたものであり、夾雑物の引っ掛かりや絡みによる滞留を防ぎ、長期間に亘ってろ過性能を維持することができる膜分離装置を提供する。
【課題を解決するための手段】
【０００６】
上記課題を解決するために、請求項１に記載した発明は、好気槽に収容された被処理水を固液分離する多数の多孔性中空糸膜からなる中空糸膜エレメントが複数配列した状態で浸漬され、この中空糸膜エレメントの下方に前記多孔性中空糸膜にスクラビング洗浄を行う為の散気発生装置が配置された膜分離装置において、複数配列された前記中空糸膜エレメントはケーシングに覆われ、このケーシングの前記中空糸膜エレメントの配列方向の側面部に対応する側板の上部に、前記散気発生装置から発生するエアを前記ケーシング外へ逃がすための開口部が設けられていることを特徴とする。
この構成によれば、ケーシングの中空糸膜エレメントの配列方向の側面部に対応する側板に開口部が設けられ、この開口部を散気発生装置から発生するエアの逃げ道として確保しているため、多孔性中空糸膜により固液分離され、上方へ流れるエアに乗って上昇してくる夾雑物が開口部からケーシング外へ流れるエアに乗って、ケーシング内から放出されることとなる。そのため、夾雑物がケーシング内で滞留することを防ぐことができる。
【０００７】
また、請求項２に記載した発明は、前記開口部は前記中空糸膜エレメントの前記多孔性中空糸膜の有効高さの５〜５０％の範囲に設定されていることを特徴とする。
この構成によれば、散気発生装置から発生するエアによる多孔性中空糸膜へのスクラビング効果を維持した上で、開口部をエアの逃げ道として確保することができる。
【０００８】
また、請求項３に記載した発明は、前記中空糸膜エレメントを構成する多数の前記多孔性中空糸膜の配列が水面に対して、鉛直方向で配列されていることを特徴とする。
この構成によれば、被処理水中の夾雑物が、散気発生装置から発生するエアーと共に、中空糸膜に沿って上部に導かれやすくなり、中空糸膜エレメント内部に滞留する夾雑物をケーシング外へ放出することができる。
【発明の効果】
【０００９】
請求項１に記載した発明によれば、夾雑物がケーシング内で滞留することを防ぐことができるため、夾雑物が中空糸膜エレメントに付着して絡まることがなく、長期間に亘って中空糸膜エレメントのろ過性能を維持することができる。
請求項２に記載した発明によれば、散気発生装置から発生するエアによる多孔性中空糸膜へのスクラビング効果を維持した上で、開口部をエアの逃げ道として確保することができるため、ケーシング内に滞留する夾雑物を、ケーシング外に効率良く放出することができる。
請求項３に記載した発明によれば、被処理水中の夾雑物が、水面に対して鉛直方向に配列した中空糸膜に沿って、スクラビングエアーと共に、中空糸膜エレメントの上部に導かれ、ケーシング上部の開口部への流れに乗って、ケーシング外へ効率よく放出することができる。
【発明を実施するための最良の形態】
【００１０】
次に、本発明の実施形態を図面に基づいて説明する。本実施形態は、産業排水、生活排水等の原水を生物学的に処理し、膜分離によって固液分離を行う膜分離活性汚泥処理装置に適用したものである。
図１に示すように、膜分離活性汚泥処理装置の流入端には、スクリーン１が配置されている。このスクリーン１は、原水から比較的大きな固形分を除去するものである。スクリーン１の流出側には、原水調整槽２が設けられている。この原水調整槽２は、スクリーン１により比較的大きな固形分が除去された原水を収容するためのものであり、液面には図示しない液面計測器が設けられている。
【００１１】
原水調整槽２の流出側には、無酸素槽３が設けられている。この無酸素槽３は、原水を嫌気状態に維持して脱窒を行う槽であり、原水調整槽２から第１送液ポンプＰ１により原水が間欠的に供給される。無酸素槽３の流出側には、ばっ気槽（好気槽）４が設けられている。このばっ気槽４は、無酸素槽３から溢流してくる原水を収容し、この原水と空気を接触させて空気中の酸素を充分に供給し、好気性微生物の分解処理を促進させるものである。ばっ気槽４内には、複数（例えば、４基）の膜ろ過ユニット（膜分離装置）５が浸漬配置されている。この膜ろ過ユニット５は、ばっ気槽４に収容された原水を活性汚泥と処理水とに膜分離するものである。
【００１２】
ばっ気槽４の流出側には、第３送液ポンプＰ３を介してが設けられている。汚泥貯留槽７は、ばっ気槽４内でばっ気処理されて成育した汚泥の固形分（懸濁物質）が自重で沈殿し、その余剰汚泥を貯蔵するものである。
【００１３】
ばっ気槽４の底部には、循環口６が設けられている。この循環口６において、無酸素槽３とばっ気槽４とが連通しており、汚泥の一部は、第２送液ポンプＰ２により無酸素槽３へ返送されることとなる。つまり、無酸素槽３とばっ気槽４とは循環可能に構成されている。
【００１４】
次に、膜ろ過ユニット５について説明する。
図２に示すように、膜ろ過ユニット５は、下部に散気発生装置１５を備えている。この散気発生装置１５は、上下が開口した平面視矩形のケーシング２４を備え、その４隅の下端には下方へ延出する支柱２４ａが形成されている。
【００１５】
図３に示すように、ケーシング２４の外壁には、エア導入管１６が設けられている。このエア導入管１６は、ばっ気槽４外に設けられたばっ気ブロアＢから主管１８を通って供給されるエアを散気発生装置１５のケーシング２４内に供給するものである（図１参照）。
【００１６】
エア導入管１６は、ケーシング２４を挟んでエア供給ヘッダー３０に連通している。エア供給ヘッダー３０はケーシング２４の内壁に沿って設けられた小室であり、このエア供給ヘッダー３０に直交してその内壁３０ａに、複数の散気管１７が接続されている。この散気管１７は、穴あきの単管やメンブレンタイプのものから構成され、一端はエア供給ヘッダー３０に接続され、他端は閉塞されている。なお、エア供給については、図示されていないが、散気管１７の両端にヘッダーを備え、両ヘッダーに連通するエア導入配管を配して、両方からエアを供給する構造であってもよい。散気管１７は、ばっ気ブロアＢから供給されるエアを上方へ吐出するものである。
【００１７】
また、図２に示すように、膜ろ過ユニット５は、散気発生装置１５の４隅から上方に向かって延びるフレーム３１を備え、このフレーム３１には、中空糸膜モジュール９が支持されている。この中空糸膜モジュール９は、複数（例えば、２０枚）の中空糸膜エレメント１０が平行に配列されたものである。
【００１８】
中空糸膜エレメント１０は、下枠１３を備え、その両端には、一対の縦杆１４a，１４bが上方に向けて設けられている。縦杆１４a，１４ｂの上端には、上枠１２が設けられている。これら上枠１２、下枠１３には、長手方向に沿って図示しない通路が形成されている。また、縦杆１４ａ，１４ｂの内部についても上述と同様に図示しない通路が形成されている。上枠１２の通路は、その一端で（例えば、ろ過水取り出し口１２ａ）開口形成され、下枠１３の通路は、その他端（例えば、ろ過水取り出し口１３ｂ）と縦杆（例えば、縦杆１４ｂ）を介して、開口形成されている。これにより、中空糸膜１０ａの両端部からのろ過水を取水することができる。ろ過水取り出し口１２ａには、上方へ向けて屈曲するＬ字継手１２ｃが図示しないシール材を挟んで連結されている。また、ろ過水取り出し口１３ｂにも同様に、図示しない継手がシール材を挟んで連結されている。
【００１９】
中空糸膜エレメント１０には、縦杆１４ａ，１４ｂに沿って多数の中空糸膜１０ａが水面に対して、鉛直方向で配列されている。この中空糸膜１０ａは、長さ方向に中空に形成されるとともに、周囲には図示しないろ過孔が形成されている。中空糸膜１０ａは、ＰＶＤＦ（ポリフッ化ビニデン）等からなり、ばっ気槽４内の原水を汚泥と処理水とにろ過するものである。
【００２０】
中空糸膜１０ａの上端および下端は、ポッティング材１１ａによりそれぞれ上枠１２、下枠１３に固定支持され、かつ、上枠１２および下枠１３内の通路に、中空糸膜１０ａの端部が開口された状態にて液密に固定されており、上端は、ろ過水取り出し口１２ａに、下端は、縦杆１４ｂを介して、ろ過取り出し口１２ｂに連通支持されることで、多数の中空糸膜１０ａが配列された中空糸膜シート１１が構成されている。ここで、中空糸膜エレメント１０、１枚当たりの中空糸膜シート１１の有効膜面積は２５ｍ２である。
【００２１】
フレーム３１の上部には、中空糸膜エレメント１０の配列方向に沿って集水ヘッダー２１が設けられている。この集水ヘッダー２１は、長手方向に沿って複数の集水口２１ａが形成されており、この集水口２１ａに対応して、下方に屈曲するＬ字継手２１ｂが図示しないシール材を挟んで連結されている。このＬ字継手２１ｂと中空糸膜エレメント１０のろ過水取り出し口１２ａに接続されたＬ字継手１２ｂとが連結されて、中空糸膜１０ａによりろ過された高水質の処理水が集水ヘッダー２１へ通水可能に構成されている。ここで、中空糸膜エレメント１０と集水ヘッダー２１の継手については、一例としてＬ字継手１２ｂ，２１ｂを図示し、説明したが、中空糸膜１０ａよりろ過された処理水が集水ヘッダー２１へ通水可能な構造であれば、ホース接続等この構造に限定されない。
【００２２】
集水ヘッダー２１の上面には、吸水口２１ｃが設けられている。この吸水口２１ｃは、分岐管路２２ａに接続され、この分岐管路２２ａを介して主管２２に接続されている。主管２２には、吸引ポンプＰｖが設けられており、この吸引ポンプＰｖの流出側には、処理水槽８が設けられている（図１参照）。この処理水槽８は、膜分離され高水質な処理水を収容するものである。
【００２３】
ここで、図４に示すように、複数の中空糸膜エレメント１０が配列された中空糸膜モジュール９を覆うように、ケーシング２０が設けられている。このケーシング２０は、中空糸膜エレメント１０の面に沿う前壁３２及び後壁３４を備え、複数配列された中空糸膜エレメント１０の配列方向に沿う側壁（側板）３３を備えている。ケーシング２０の側壁３３は、前壁３２及び後壁３４より低く形成されている。つまり、側壁３３の上端とフレーム３１の上部及び集水ヘッダー２１との間は開放されており、この開放された部分がケーシング２０内に連通する開口部３５として形成されている。
【００２４】
この開口部３５は、散気発生装置１５の散気管１７から吐出され、ケーシング２０内を上昇してくるエアの逃げ道となるものである。開口部３５の大きさは、中空糸膜１０ａへのスクラビング効果を考慮して中空糸膜エレメント１０の中空糸膜１０ａの有効高さの５〜５０％の範囲に設定されていること好ましい。なお、前壁３２及び後壁３４の上部にも開口部を設ける構成としてもよい。
【００２５】
次に作用を説明する。
まず、原水は、スクリーン１で比較的大きな固形分が除去され、原水調整槽２に導入される。ここでは、液面を液面計測器により測定し、第１送液ポンプＰ１を間欠作動して原水調整槽２の液面高さを所定の範囲内で調整する。第１送液ポンプＰ１によって送られる原水は、無酸素槽３から溢流する原水を用いて、隣接するばっ気槽４に流入させる。
【００２６】
続いて、原水は、無酸素槽３及びばっ気槽４において、活性汚泥により生物化学的に浄化される。窒素の除去は、無酸素槽３とばっ気槽４との間で汚泥を循環させることにより、いわゆる硝化脱窒反応によってなされる。ＢＯＤ（生物化学的酸素要求量）に換算される有機物は、主としてばっ気槽４内に配置されたばっ気装置である膜ろ過ユニット５の散気発生装置１５から吐出されるエアにより好気的にされ分解される。またリンの除去は、汚泥中の微生物(リン蓄積細菌)の作用によりポリリン酸として微生物の体内に取り込まれることにより行われる。この微生物は、好気状態においてリンを取り込み、嫌気状態において体内に蓄えたリンを放出する。リン蓄積細菌は、嫌気状態、好気状態に繰り返して晒されると、嫌気状態で放出したリンの量より多くのリンを好気状態で吸収する。
【００２７】
生物由来の排泄物や死骸などの窒素化合物の一部は、肥料として植物やバクテリアに同化される。また、こうした窒素化合物の一部は、酸素の多い好気条件で独立栄養アンモニア酸化細菌や独立亜硝酸酸化細菌により、亜硝酸、硝酸へと酸化される。他方、酸素がない嫌気条件下では、脱窒菌と呼ばれる微生物が酸素に代わって硝酸から亜硝酸を生成し、更には一酸化二窒素、窒素ガスへと還元する。この還元反応が上記硝化脱窒反応と称される。
【００２８】
無酸素槽３及びばっ気槽４の間での汚泥の循環は、どちらの槽からポンプを用いて送液するかは必ずしも限定されないが、通常は第２送液ポンプＰ２を用いてばっ気槽４から無酸素槽３へと送液し、無酸素槽３から溢流によってばっ気槽４に流入させる。本実施形態では、ばっ気槽４から循環液が無酸素槽３に入る部位におけるＤＯＣを０．２ｍｇ／Ｌ以下とする、及び／またはばっ気槽４より循環液を取り出す部位のＤＯＣを０．５ｍｇ／Ｌ以下とすることにより、無酸素槽３への溶存酸素の流入を抑制し、無酸素槽３内の嫌気度を十分維持し、これによりリンの放出を促進させる。
【００２９】
無酸素槽３内に溶存酸素、硝酸イオン、亜硝酸イオンが実質的に存在しないと有機物が嫌気的に分解され、このとき菌に蓄積されたポリリン酸がリン酸として菌体外に放出される。本実施形態において循環汚泥がばっ気槽４から無酸素槽３に返送される部位におけるＤＯＣは０．２ｍｇ／Ｌ以下とすることが好ましく、１ｍｇ／Ｌ以下であるとリンの除去性がより安定し、さらに０．０５ｍｇ／Ｌ以下とするとより安定化するため好ましい。なお、ＤＯＣの測定は、隔膜電極法による通常のＤＯ計を用いて測定することができる。
【００３０】
ばっ気槽４から循環液（汚泥）を取り出す部位のＤＯＣを０．５ｍｇ／Ｌ以下とするためには、ばっ気槽４から無酸素槽３へ汚泥を取り出す部位を汚泥の滞留部とすることが好ましい。汚泥の滞留部とは、ばっ気による汚泥の流動を受けにくい部位を意味する。例えば、膜ろ過ユニット５とばっ気槽４の底部との間に空間を設けてやると、膜ろ過ユニット５の下の部分に存在する汚泥はよく撹拌されないため、滞留部となる。
【００３１】
したがって、図１に示すように、膜ろ過ユニット５の位置よりも下から汚泥を取り出すことにより、ばっ気槽４より循環液（汚泥）を取り出す部位のＤＯＣを０．５ｍｇ／Ｌ以下とすることができる。なお、ばっ気槽４内に複数の膜ろ過ユニット５が並列されて配される場合は、循環液（汚泥）を取り出す部位をばっ気槽４の下方とする。また、膜ろ過ユニット５から汚泥を取り出す部位までの距離は２０ｃｍ以上下方に離すことが好ましく、３０ｃｍ以上離すことが好ましい。
【００３２】
ばっ気槽４内における汚泥の流動は、主として膜ろ過ユニット５によるばっ気部分において散気管１７から吐出されるエアの上昇に伴って汚泥も上昇し、ばっ気されていない部分において汚泥が下降し、これにより全体が撹拌される。この際、ばっ気槽４内の汚泥の酸素利用速度（ｒｒ）を高く維持すると、ばっ気されていない部分で酸素が急速に消費されることから、ばっ気槽４中で溶存酸素が低くなる部位を形成しやすくなる。ここで、ばっ気槽４内の汚泥の酸素利用速度（ｒｒ）とは、ばっ気槽４のばっ気されている部分から取った汚泥の酸素利用速度をいい、測定方法は下水道試験方法(１９９７年、社団法人日本下水道協会)に従って求めることができる。
【００３３】
ばっ気槽４内の原水は、膜ろ過ユニット５の中空糸膜１０ａによってろ過される。具体的には、散気発生装置１５の散気管１７から上方に向けてエアが吐出され、このエアにより中空糸膜１０ａを振動させてスクラビングが行われる。そして、汚濁物質や夾雑物が中空糸膜１０ａに付着することを防ぎながらろ過される。これにより、原水は汚泥と処理水とに固液分離される。ろ過された汚濁物質や夾雑物等の一部は、ケーシング２０内を上方へ流れるエア（例えば、図４中矢印Ｆ）により膜ろ過ユニット５のケーシング２０内を上昇していく。
【００３４】
ここで、ケーシング２０の両側壁３３の上部には、ケーシング２０内に連通する開口部３５が形成されているため、この開口部３５がエアの逃げ道となり、通常は、ケーシング２０の上方のみから抜けていくエア（例えば、図４中矢印Ａ）が、側壁３３に形成された開口部３５からケーシング２０外の方向へ流れることとなる（例えば、図４中矢印Ｃ）。そして、開口部３５からケーシング２０外へ流れるエアに乗ってケーシング２０内を上昇する汚濁物質や夾雑物がケーシング２０外へ放出されることとなる。
【００３５】
一方、中空糸膜１０ａによりろ過された処理水は、吸引ポンプＰｖにより吸引されて集水ヘッダー２１の吸水口２１ｃから、主管２２及び分岐管路２２ａを介して処理水槽８に間欠的に運び出される。また、ばっ気槽４の底部に沈殿する汚濁物質や夾雑物は第３送液ポンプＰ３により吸引されて汚泥貯留槽７に運び出されることとなる。
【００３６】
次に、実施例及び比較例を挙げて、本発明の膜ろ過ユニットをより具体的に説明する。なお、本発明は以下の実施例の内容に限定されるものではない。試験条件は、以下の通りである。
【００３７】
被処理水：ＭＬＳＳ（Ｍｉｘｅｄ  ｌｉｑｕｏｒ  ｓｕｓｐｅｎｄｅｄ  ｓｏｌｉｄｓ）１００００ｍｇ／Ｌの生活排水系の原水
ろ過流速（ＬＶ）：０．８ｍ３／ｍ２・ｈ
運転期間：８ヶ月
【００３８】
[実施例]
ケーシングの側壁における開口部の開口高さ：中空糸膜の有効高さの２５％
【００３９】
以上の条件により試験を行った結果、この期間での差圧の上昇は全く見られなかった。また、この時点で、ばっ気槽から膜ろ過ユニットを引き上げて状況を確認したところ、中空糸膜への汚濁物質や夾雑物の付着はほとんど見られず、きれいな状態であった。
【００４０】
一方、従来のように、中空糸膜エレメントの全周がケーシングにより覆われたものでは、初期差圧に比べると５ｋＰａ程度の上昇が見られた。この時点で、ばっ気槽から膜ろ過ユニットを引き上げて状況を確認したところ、中空糸膜エレメントの上部に夾雑物の付着が多く見られ、中空糸膜エレメント間の上部の隙間が塞がれた状態となっていた。さらに、これらの影響と見られる汚濁物質の付着も認められた。差圧としては大きな上昇ではないものの、これ以上の運転に当たっては、差圧の上昇も大きくなってくる可能性が示唆された。
【００４１】
本実施形態によれば、膜ろ過ユニット５のケーシング２０の側壁３３に開口部３５が設けられ、この開口部３５を散気管１７から吐出されるエアの逃げ道として確保しているため、中空糸膜エレメント１０により固液分離され、ケーシング２０内を上方へ流れるエアに乗って上昇してくる夾雑物が、開口部３５からケーシング２０外へ流れるエアに乗ってケーシング２０外へ放出されることとなる。したがって、汚濁物質や夾雑物がケーシング２０内で滞留することを防ぐことができるため、中空糸膜エレメント１０に特に夾雑物が付着して絡まることがなく、長期間に亘って中空糸膜エレメント１０のろ過性能を維持することができる。
【００４２】
また、開口部３５は、中空糸膜エレメント１０の中空糸膜１０ａの有効高さの５〜５０％の範囲に設定されているため、散気発生装置１５から発生するエアによる中空糸膜１０ａへのスクラビング効果を維持した上で、開口部３５をエアの逃げ道として確保することができる。したがって、ケーシング２０内に滞留する夾雑物を、ケーシング２０外に効率良く放出することができる。
【００４３】
なお、本発明の技術範囲は、上述した実施形態に限定されるものではなく、本発明の趣旨を逸脱しない範囲において、上述した実施形態に種々の変更を加えたものを含む。例えば、膜ろ過ユニットの基数はばっ気槽の大きさに応じて適宜変更が可能である。また、膜ろ過ユニットの大きさや１基当たりの中空糸エレメントの枚数等は、用途に応じて多様に変更が可能である。例えば、中空糸膜エレメントの枚数で言えば、処理量に合わせて４０枚、６０枚…と変更でき、或いは、或多孔性中空糸膜の材質は、セルロース系、ポリオレフィン系、ポリスルホン系、ポリビニルアルコール系、ポリメチルアルコール系、ポリメチルメタクリレート、ポリフッ化エチレン等、従来公知のものを適用することができる。さらに、膜の孔径については、一般に限外ろ過膜と呼ばれる孔径０．００１〜０．１μｍのもの、または一般に精密ろ過膜と呼ばれる孔径０．１〜１μｍのもの、あるいはそれ以上の孔径のものを用いることが可能である。
【図面の簡単な説明】
【００４４】
【図１】本発明の実施形態における膜ろ過ユニットを備えた膜分離活性汚泥処理装置の概略構成図である。
【図２】本発明の実施形態における膜ろ過ユニットの一部破断して示す斜視図である。
【図３】膜ろ過ユニットの散気発生装置の斜視図である。
【図４】膜ろ過ユニットの斜視図である。
【符号の説明】
【００４５】
４        ばっ気槽（好気槽）
５        膜ろ過ユニット（膜分離装置）
１０      中空糸膜エレメント
１０ａ    中空糸膜（多孔性中空糸膜）
１５      散気発生装置
２０      ケーシング
３３      側壁（側板）
【図１】
2008188562.tif 000003
【図２】
2008188562.tif 000004
【図３】
2008188562.tif 000005
【図４】
2008188562.tif 000006